(57)【要約】【課題】デジタルカメラ等の電子機器の小型化を妨げないように、電池や記録媒体を収納する収納部の開閉カバーを施錠・開錠するロック機構の小型化、省スペース化を図る。【解決手段】ロック機構８は、施錠位置と開錠位置との間で移動自在に配設され、開閉カバー７の閉状態時に該開閉カバー７に設けられたスリット穴７Ａに係合し又は離脱することが可能なロック爪１０と、通電時に自己発熱によって収縮するワイヤ状の形状記憶合金１２Ａ，１２Ｂであって、通電時の収縮によって開閉カバー１０を開錠位置又は施錠位置に移動させる形状記憶合金１２とを備えている。このロック爪１０を駆動するためのアクチュエータとして、ワイヤ状の形状記憶合金１２Ａ，１２Ｂを使用するようにしたため、ロック機構８の小型化、省スペース化が可能になる。【選択図】  図４
2008245143.tif 000002
【特許請求の範囲】
【請求項１】
電池及び／又は記録媒体を収納する収納部と、前記収納部を開閉する開閉カバーと、前記開閉カバーを施錠・開錠するロック機構と、前記ロック機構を制御する制御手段とを備えた電子機器において、
前記ロック機構は、
前記電子機器本体に対して施錠位置と開錠位置との間で移動自在に配設され、前記開閉カバーの閉状態時に該開閉カバーに設けられた係合部に係合し又は離脱することが可能なロック爪と、
通電時に自己発熱によって収縮するワイヤ状の形状記憶合金であって、通電時の収縮によって前記開閉カバーを少なくとも開錠位置に移動させる形状記憶合金と、を備え、
前記制御手段は、前記形状記憶合金への通電を制御することを特徴とする電子機器。
【請求項２】
前記形状記憶合金は、通電時の収縮によって前記開閉カバーを開錠位置に移動させる第１の形状記憶合金と、通電時の収縮によって前記開閉カバーを施錠位置に移動させる第２の形状記憶合金とを有することを特徴とする請求項１に記載の電子機器。
【請求項３】
前記ロック機構は、前記施錠位置及び開錠位置に移動したロック爪を、通電時に生じる前記形状記憶合金の駆動力よりも弱い力で保持する保持部材を更に備えたことを特徴とする請求項２に記載の電子機器。
【請求項４】
前記ロック機構は、前記ロック爪が前記施錠位置に移動するように付勢する付勢部材を更に備えたことを特徴とする請求項１に記載の電子機器。
【請求項５】
前記収納部に収納された電池の残量を検出する電池残量検出手段を備え、
前記制御手段は、前記電池の残量が前記開閉カバーを開錠位置に移動させるために必要な最低限の値に達すると、自動的に前記形状記憶合金に通電して前記開閉カバーを開錠位置に移動させることを特徴とする請求項１から４のいずれかに記載の電子機器。
【請求項６】
生体情報を取得する生体情報取得手段と、予め登録された生体情報と前記生体情報取得手段によって取得された生体情報とを照合し、一致した場合のみ少なくとも前記開閉カバーの開錠を許可する生体認証手段と、を備え、
前記制御手段は、前記生体認証手段によって少なくとも前記開閉カバーの開錠が許可された場合に前記形状記憶合金に通電を行うことを特徴とする請求項１から５のいずれかに記載の電子機器。
【請求項７】
前記電子機器はデジタルカメラであり、前記ロック機構はカメラグリップ部に配設されることを特徴とする請求項１から６のいずれかに記載の電子機器。
【請求項８】
前記生体情報は、人体の一部を撮影することによって取得可能な情報であり、
前記電子機器は、前記生体情報取得手段として兼用されるデジタルカメラであることを特徴とする請求項６又は７に記載の電子機器。
【発明の詳細な説明】
【技術分野】
【０００１】
本発明は電子機器に係り、特に電池及び／又は記録媒体を収納する収納部の開閉カバーを施錠・開錠するロック機構を有する電子機器に関する。
【背景技術】
【０００２】
従来、デジタルカメラの正規の使用者の掌紋をデジタルカメラに予め登録しておき、メモリカードを取り出す場合には、使用者に対して掌紋の撮像を要求し、撮像された掌紋を登録されている掌紋と比較し、一致する場合に正規の使用者として判定し、メモリカードのイジェクトのロックを解除できるようにしたデジタルカメラが提案されている（特許文献１）。
【０００３】
また、メモリカードに装着されたメモリカードの無断抜き取りを防止することを目的とし、カードスロットを覆う開閉カバーを電磁アクチュエータによってロックするデジタルカメラが提案されている（特許文献１）。そして、このデジタルカメラは、ロック解除コードを記憶したメモリと、外部からの入力コードがロック解除コードと一致したときに開閉カバーのロックを解除するロック制御手段とを備えている。
【特許文献１】特開２００１−３２６８４１号公報
【特許文献２】特開２００４−２０１１２８号公報
【発明の開示】
【発明が解決しようとする課題】
【０００４】
近年、デジタルカメラの普及に伴い、家庭やオフィス等々でデジタルカメラを共有し使用するようになってきた。しかしながら、複数の人数でデジタルカメラが共有使用されると、メモリカードやバッテリーなどがデジタルカメラから取り外され、無断で持ち出されることがあり、いざ使用したいと思った時に使用できないケースがあった。
【０００５】
また、メモリカードも大容量化が進み、データの気密保持のため、無断取り出しの防止機構を設けることも重要になってきた。
【０００６】
しかしながら、開閉カバーを施錠するロック機構を設けると、その分、カメラのサイズが大きくなり、ユーザの小型化ニーズと逆行するという問題があった。また、ロック機構を設けても、電池切れを起こすと、最悪ロック解除ができなくなるという問題がある。
【０００７】
特許文献１に記載の発明は、デジタルカメラに使用者の生体情報の登録、検出手段を設け、その生体情報によりメモリカードのスロット部の施錠・開錠の設定を切り替えているが、ロック機構を設けることによりカメラの小型化を妨げるという問題があった。
【０００８】
同様に、特許文献２に記載の発明も電磁アクチュエータを使用して施錠・開錠するため、スペース効率が悪く、カメラの小型化を妨げるという問題があった。
【０００９】
本発明はこのような事情に鑑みてなされたもので、デジタルカメラ等の電子機器の小型化を妨げないように、電池や記録媒体を収納する収納部の開閉カバーを施錠・開錠するロック機構の小型化、省スペース化を図ることができる電子機器を提供することを目的とする。
【課題を解決するための手段】
【００１０】
前記目的を達成するために請求項１に係る発明は、電池及び／又は記録媒体を収納する収納部と、前記収納部を開閉する開閉カバーと、前記開閉カバーを施錠・開錠するロック機構と、前記ロック機構を制御する制御手段とを備えた電子機器において、前記ロック機構は、前記電子機器本体に対して施錠位置と開錠位置との間で移動自在に配設され、前記開閉カバーの閉状態時に該開閉カバーに設けられた係合部に係合し又は離脱することが可能なロック爪と、通電時に自己発熱によって収縮するワイヤ状の形状記憶合金であって、通電時の収縮によって前記開閉カバーを少なくとも開錠位置に移動させる形状記憶合金と、を備え、前記制御手段は、前記形状記憶合金への通電を制御することを特徴としている。
【００１１】
請求項１に係る発明によれば、前記ロック爪を駆動するためのアクチュエータとして、ワイヤ状の形状記憶合金を使用するようにしたため、ワイヤ状の形状記憶合金を布設するスペースさえあればよく、また、この程度のスペースとしてはデッドスペースを利用することができるため、電子機器の小型化を妨げることがない。
【００１２】
請求項２に示すように請求項１に記載の電子機器において、前記形状記憶合金は、通電時の収縮によって前記開閉カバーを開錠位置に移動させる第１の形状記憶合金と、通電時の収縮によって前記開閉カバーを施錠位置に移動させる第２の形状記憶合金とを有することを特徴としている。
【００１３】
請求項３に示すように請求項２に記載の電子機器において、前記ロック機構は、前記施錠位置及び開錠位置に移動したロック爪を、通電時に生じる前記形状記憶合金の駆動力よりも弱い力で保持する保持部材を更に備えたことを特徴としている。これにより、前記形状記憶合金が通電されていないときに、ロック爪が不用意に移動しないようにすることができる。
【００１４】
請求項４に示すように請求項１に記載の電子機器において、前記ロック機構は、前記ロック爪が前記施錠位置に移動するように付勢する付勢部材を更に備えたことを特徴としている。
【００１５】
これによれば、前記開閉カバーを開錠するときのみ前記形状記憶合金を通電すればよく、前記形状記憶合金への通電が停止され、該形状記憶合金の温度が低下すると、前記付勢部材によって自動的に開閉カバーを施錠することができる。
【００１６】
請求項５に示すように請求項１から４のいずれかに記載の電子機器において、前記収納部に収納された電池の残量を検出する電池残量検出手段を備え、前記制御手段は、前記電池の残量が前記開閉カバーを開錠位置に移動させるために必要な最低限の値に達すると、自動的に前記形状記憶合金に通電して前記開閉カバーを開錠位置に移動させることを特徴としている。
【００１７】
これにより、電池切れによる開閉カバーのロック解除ができなくなるおそれがない。
【００１８】
請求項６に示すように請求項１から５のいずれかに記載の電子機器において、生体情報を取得する生体情報取得手段と、予め登録された生体情報と前記生体情報取得手段によって取得された生体情報とを照合し、一致した場合のみ少なくとも前記開閉カバーの開錠を許可する生体認証手段と、を備え、前記制御手段は、前記生体認証手段によって少なくとも前記開閉カバーの開錠が許可された場合に前記形状記憶合金に通電を行うことを特徴としている。
【００１９】
請求項７に示すように請求項１から６のいずれかに記載の電子機器において、前記電子機器はデジタルカメラであり、前記ロック機構はカメラグリップ部に配設されることを特徴としている。カメラグリップ部には、凸部のデッドスペースがあるため、そのデッドスペースを有効利用することができる。
【００２０】
請求項８に示すように請求項６又は７に記載の電子機器において、前記生体情報は、人体の一部を撮影することによって取得可能な情報であり、前記電子機器は、前記生体情報取得手段として兼用されるデジタルカメラであることを特徴としている。
【発明の効果】
【００２１】
本発明によれば、ロック機構のロック爪を駆動するためのアクチュエータとして、ワイヤ状の形状記憶合金を使用するようにしたため、電池や記録媒体を収納する収納部の開閉カバーを施錠・開錠するロック機構の小型化、省スペース化を図ることができ、デジタルカメラ等の電子機器の小型化を妨げないようにすることができる。
【発明を実施するための最良の形態】
【００２２】
以下、添付図面に従って本発明に係る電子機器の好ましい実施の形態について説明する。
【００２３】
図１は本発明に係る電子機器（この実施の形態では、デジタルカメラ）の外観図であり、図２はデジタルカメラの要部を内部透視した図である。
【００２４】
これらの図面において、デジタルカメラ（以下、「カメラ」と称す）１のカメラ筐体２には、レンズ３が配設されるとともに、グリップ部４が設けられている。
【００２５】
このグリップ部４は、レンズ３が設けられているカメラ筐体２の前面よりも前方に突出している凸部を有し、これによりカメラ１が把持しやすいようになっている。
【００２６】
グリップ部４には、電池５を収納する電池収納部６が形成されている。尚、７は、電池５の着脱時に開閉される開閉カバーであり、８は、開閉カバー７を施錠・開錠するロック機構である。
【００２７】
図３は図２の要部拡大図であり、図３（Ａ）は開閉カバー７を手前に引き出した状態を示し、図３（Ｂ）は開閉カバー７を開いた状態を示している。
【００２８】
即ち、開閉カバー７は、図３（Ａ）に示すように開閉カバー７に設けられた軸９と、電池収納部６に形成された長穴とによってスライド自在に支持されるとともに、回動自在に支持されている。この開閉カバー７は、電池収納部６と嵌め合うことにより一時的にロックされ、後述するようにロック機構８によりロック（施錠）される。
【００２９】
開閉カバー７を開く場合には、開閉カバー７のロックを解除（開錠）し、図３（Ａ）に示すように矢印Ａ方向にスライドさせ、その後、図３（Ｂ）に示すように軸９を中心にして、図３（Ｂ）上で時計周り方向に回動させる。
【００３０】
［ロック機構］
次に、ロック機構８について説明する。
【００３１】
図４は図３に示したロック機構の要部拡大図であり、図４（Ａ）は開閉カバーが開錠された状態を示し、図４（Ｂ）は開閉カバーが施錠された状態を示している。
【００３２】
図３及び図４に示すように、ロック機構８は、主としてロック爪１０と、２本のワイヤ状の形状記憶合金１２と、板ばね１４とから構成されている。
【００３３】
ロック爪１０は、開閉カバー７が閉じている状態のときに施錠するもので、電池収納部６の前面に回動自在に配設されている。
【００３４】
図４に示すように開閉カバー７には、係合用のスリット穴７Ａが形成されており、図４（Ｂ）に示すように、開閉カバー７が閉じている状態のときに、ロック爪１０が反時計回り方向に回動（施錠位置に回動）させられると、ロック爪１０は、開閉カバー７のスリット穴７Ａに係合し、開閉カバー７を施錠（スライド不能に）する。
【００３５】
一方、図４（Ａ）に示すように、ロック爪１０が時計回り方向に回動（開錠位置）させられると、ロック爪１０は、開閉カバー７のスリット穴７Ａとの係合が外れ、開閉カバー７を開錠（スライド可能に）する。
【００３６】
形状記憶合金１２は、上記ロック爪１０を回動させるためのアクチュエータであり、図４に示すように、一方の形状記憶合金１２Ａは、ロック爪１０の左側の穴に通されるとともに、図３に示すように、形状記憶合金１２Ａの途中が電池収納部６の前面の固定部１３にて固定され、同様に、他方の形状記憶合金１２Ｂは、ロック爪１０の右側の穴に通されるとともに、形状記憶合金１３Ａの途中が電池収納部６の前面の固定部１３にて固定されている。
【００３７】
ここで、ワイヤ状の形状記憶合金１２としては、図５（Ａ）に示すように常温時には柔らかく、所定の長さになっているが、図５（Ｂ）に示すように通電すると、自己発熱により強い力で収縮し、予め記憶された長さになるものが使用されている。
【００３８】
従って、開閉カバー７を開錠するときには、図４（Ａ）に示すように形状記憶合金１２Ａに通電し、形状記憶合金１２Ａを収縮させ、開閉カバー７を施錠するときには、図４（Ｂ）に示すように形状記憶合金１２Ｂに通電し、形状記憶合金１２Ｂを収縮させる。
【００３９】
板ばね１４は、形状記憶合金１２が通電されていないときに、ロック爪１０が不用意に回動しないようにロック爪１０を保持するものである。
【００４０】
図６（Ａ）は前記ロック機構８の正面図であり、図６（Ｂ）は、図６（Ａ）のＩ−Ｉ線に沿う拡大断面図である。
【００４１】
図６（Ａ）に示すようにロック爪１０には、その回動中心から所定の距離に２つの係合穴１０Ａ、１０Ｂが形成されており、板ばね１４の先端部には、ロック爪１０の係合穴１０Ａ、１０Ｂに係合する、半球状の絞り１４Ａ（図６（Ｂ））が形成されている。
【００４２】
そして、図６（Ａ）に示すようにロック爪１０が施錠位置に回動すると、図６（Ｂ）に示すように板ばね１４の半球状の絞り１４Ａが、ロック爪１０の係合穴１０Ｂに弾性をもって係合し、ロック爪１０を保持する。同様に、ロック爪１０が開錠位置に回動すると、板ばね１４の半球状の絞り１４Ａが、ロック爪１０の他方の係合穴１０Ａに弾性をもって係合し、ロック爪１０を保持する。
【００４３】
これにより、形状記憶合金１２が通電されていないときに、ロック爪１０が不用意に回動しないようにすることができる。
【００４４】
上記ロック機構８は、カメラ筐体２のグリップ部４と電池収納部６とのデッドスペース部に配置されているため、デッドスペース部を有効に利用できるとともに、カメラ１のサイズアップがなく、省スペース化が可能である。尚、電池収納部６には、メモリカード等の記録メディアも同時に収納する場合がある。
【００４５】
［デジタルカメラの内部構成］
図７はカメラ１の内部構成を示すブロック図である。
【００４６】
このカメラ１は、静止画や動画の記録及び再生機能を備えたデジタルカメラであり、カメラ全体の動作は中央処理装置（ＣＰＵ）２０によって統括制御される。ＣＰＵ２０は、所定のプログラムに従って本カメラシステムを制御する制御手段として機能するとともに、自動露出（ＡＥ）演算、自動焦点調節（ＡＦ）演算、ホワイトバランス（ＷＢ）調整演算など、各種演算を実施する演算手段として機能する。
【００４７】
バス２２を介してＣＰＵ２０と接続されたＲＯＭ２４には、ＣＰＵ２０が実行するプログラム及び制御に必要な各種データ等が格納され、ＥＥＰＲＯＭ２６には、ＣＣＤ画素欠陥情報、カメラ動作に関する各種定数／情報、使用者の生体情報（この実施の形態では、指紋情報）等が格納されている。
【００４８】
また、メモリ（ＳＤＲＡＭ）２８は、プログラムの展開領域及びＣＰＵ２０の演算作業用領域として利用されるとともに、画像データや音声データの一時記憶領域として利用される。ＶＲＡＭ３０は画像データ専用の一時記憶メモリであり、Ａ領域３０ＡとＢ領域３０Ｂが含まれている。
【００４９】
カメラ１にはモード選択スイッチ３２、撮影ボタン３４、その他、メニュー／ＯＫキー、十字キー、キャンセルキーなどの操作手段３６が設けられている。これら各種の操作部（３２〜３６）からの信号はＣＰＵ２０に入力され、ＣＰＵ２０は入力信号に基づいてカメラ１の各回路を制御し、例えば、レンズ駆動制御、撮影動作制御、画像処理制御、画像データの記録／再生制御、画像表示装置３８の表示制御、及び本発明に係る生体認証処理などを行う。
【００５０】
モード選択スイッチ３２は、撮影モードと再生モードとを切り換えるための操作手段である。モード選択スイッチ３２を操作して可動接片３２Ａを接点ａに接続させると、その信号がＣＰＵ２０に入力され、カメラ１は撮影モードに設定され、可動接片３２Ａを接点ｂに接続させると、カメラ１は記録済みの画像を再生する再生モードに設定される。
【００５１】
撮影ボタン３４は、撮影開始の指示を入力する操作ボタンであり、半押し時にＯＮするＳ１スイッチと、全押し時にＯＮするＳ２スイッチとを有する二段ストローク式のスイッチで構成されている。
【００５２】
メニュー／ＯＫキーは、画像表示装置３８の画面上にメニューを表示させる指令を行うためのメニューボタンとしての機能と、選択内容の確定及び実行などを指令するＯＫボタンとしての機能とを兼備した操作キーである。十字キーは、上下左右の４方向の指示を入力する操作部であり、メニュー画面から項目を選択したり、各メニューから各種設定項目の選択を指示したりするボタン（カーソル移動操作手段）として機能する。また、十字キーの上／下キーは撮影時のズームスイッチあるいは再生時の再生ズームスイッチとして機能し、左／右キーは再生モード時のコマ送り（順方向／逆方向送り）ボタンとして機能する。キャンセルキーは、選択項目など所望の対象の消去や指示内容の取消し、あるいは１つ前の操作状態に戻らせる時などに使用される。
【００５３】
画像表示装置３８は、カラー表示可能な液晶ディスプレイで構成されている。画像表示装置３８は、撮影時に画角確認用の電子ファインダとして使用できるとともに、記録済み画像を再生表示する手段として利用される。また、画像表示装置３８は、ユーザインターフェース用表示画面としても利用され、必要に応じてメニュー情報や選択項目、設定内容などの情報が表示される。
【００５４】
カメラ１は、メディアソケット（メディア装着部）４０を有し、メディアソケット４０には記録メディア４２を装着することができる。記録メディアの形態は特に限定されず、xD-PictureCard（商標）、スマートメディア（商標）に代表される半導体メモリカード、可搬型小型ハードディスク、磁気ディスク、光ディスク、光磁気ディスクなど、種々の媒体を用いることができる。
【００５５】
メディアコントローラ４４は、メディアソケット４０に装着される記録メディア４２に適した入出力信号の受渡しを行うために所要の信号変換を行う。
【００５６】
また、カメラ１はパソコンその他の外部機器と接続するための通信手段としてＵＳＢインターフェース部４６を備えている。図示せぬＵＳＢケーブルを用いてカメラ１と外部機器を接続することにより、外部機器との間でデータの受渡しが可能となる。もちろん、通信方式はＵＳＢに限らず、IEEE1394やBluetooth その他の通信方式を適用してもよい。
【００５７】
次に、カメラ１の撮影機能について説明する。
【００５８】
モード選択スイッチ３２によって撮影モードが選択されると、カラーＣＣＤ固体撮像素子（以下ＣＣＤと記載）４８を含む撮像部に電源が供給され、撮影可能な状態になる。
【００５９】
レンズユニット５０は、フォーカスレンズを含むレンズ３と絞り兼用メカシャッター５４とを含む光学ユニットである。レンズユニット５０は、ＣＰＵ２０によって制御されるレンズ駆動部５６、絞り駆動部５８によって電動駆動され、ズーム制御、フォーカス制御及びアイリス制御が行われる。
【００６０】
レンズユニット５０を通過した光は、ＣＣＤ４８の受光面に結像される。ＣＣＤ４８の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ハニカム、ベイヤーなど）で配置されている。また、ＣＣＤ４８は、各フォトダイオードの電荷蓄積時間（シャッタースピード）を制御する電子シャッター機能を有している。ＣＰＵ２０は、タイミングジェネレータ６０を介してＣＣＤ４８での電荷蓄積時間を制御する。
【００６１】
ＣＣＤ４８の受光面に結像された被写体像は、各フォトダイオードによって入射光量に応じた量の信号電荷に変換される。各フォトダイオードに蓄積された信号電荷は、ＣＰＵ１２の指令に従いタイミングジェネレータ６０から与えられる駆動パルスに基づいて信号電荷に応じた電圧信号（画像信号）として順次読み出される。
【００６２】
ＣＣＤ４８から出力された信号はアナログ処理部（ＣＤＳ／ＡＭＰ）６２に送られ、ここで画素ごとのＲ，Ｇ，Ｂ信号がサンプリングホールド（相関二重サンプリング処理）され、増幅された後、Ａ／Ｄ変換器６４に加えられる。Ａ／Ｄ変換器６４によってデジタル信号に変換された点順次のＲ，Ｇ，Ｂ信号は、画像入力コントローラ６６を介してメモリ２８に記憶される。
【００６３】
画像信号処理回路６８は、メモリ２８に記憶されたＲ，Ｇ，Ｂ信号をＣＰＵ２０の指令に従って処理する。即ち、画像信号処理回路６８は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ２０からのコマンドに従ってメモリ２８を活用しながら所定の信号処理を行う。
【００６４】
画像信号処理回路６８に入力されたＲＧＢの画像データは、画像信号処理回路６８において輝度信号（Ｙ信号）及び色差信号（Ｃr,Ｃb 信号）に変換されるとともに、ガンマ補正等の所定の処理が施される。画像信号処理回路６８で処理された画像データはＶＲＡＭ３０に格納される。
【００６５】
撮影画像を画像表示装置３８にモニタ出力する場合、ＶＲＡＭ３０から画像データが読み出され、バス２２を介してビデオエンコーダ７０に送られる。ビデオエンコーダ７０は、入力された画像データを表示用の所定方式の信号（例えば、ＮＴＳＣ方式のカラー複合映像信号）に変換して画像表示装置３８に出力する。
【００６６】
ＣＣＤ４８から出力される画像信号によって、１コマ分の画像を表す画像データがＡ領域３０ＡとＢ領域３２Ｂとで交互に書き換えられる。ＶＲＡＭ３２のＡ領域３２Ａ及びＢ領域３２Ｂのうち、画像データが書き換えられている方の領域以外の領域から、書き込まれている画像データが読み出される。このようにしてＶＲＡＭ３０内の画像データが定期的に書き換えられ、その画像データから生成される映像信号が画像表示装置３８に供給されることにより、撮像中の映像がリアルタイムに画像表示装置３８に表示される。撮影者は、画像表示装置３８に表示される映像（スルームービー画）によって撮影画角を確認できる。
【００６７】
撮影ボタン３４が半押しされ、Ｓ１がオンすると、カメラ１はＡＥ及びＡＦ処理を開始する。即ち、ＣＣＤ４８から出力された画像信号はＡ／Ｄ変換後に画像入力コントローラ６６を介してＡＦ検出回路７２並びにＡＥ／ＡＷＢ検出回路７４に入力される。
【００６８】
ＡＥ／ＡＷＢ検出回路７４は、１画面を複数のエリア（例えば、１６×１６）に分割し、分割エリアごとにＲＧＢ信号を積算する回路を含み、その積算値をＣＰＵ２０に提供する。ＣＰＵ２０は、ＡＥ／ＡＷＢ検出回路７４から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ２０はＣＣＤ４８の電子シャッター及びアイリスを制御して適正な露光量を得る。
【００６９】
また、ＡＥ／ＡＷＢ検出回路７４は、自動ホワイトバランス調整時には、分割エリアごとにＲＧＢ信号の色別の平均積算値を算出し、その算出結果をＣＰＵ２０に提供する。ＣＰＵ２０は、Ｒの積算値、Ｂの積算値、Ｇの積算値を得て、各分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１（つまり、１画面においてＲＧＢの積算比率がＲ：Ｇ：Ｂ≒１：１：１）になるように、ホワイトバランス調整回路のＲ，Ｇ，Ｂ信号に対するゲイン値（ホワイトバランス補正値）を制御し、各色チャンネルの信号に補正をかける。前述した各比の値を１以外の値になるようにホワイトバランス調整回路のゲイン値を調整すると、ある色味が残った画像を生成することができる。尚、ホワイトバランス調整の詳細は後述する。
【００７０】
本カメラ１におけるＡＦ制御は、例えば映像信号のＧ信号の高周波成分が極大になるようにフォーカシングレンズ（レンズ３を構成するレンズ光学系のうちフォーカス調整に寄与する移動レンズ）を移動させるコントラストＡＦが適用される。即ち、ＡＦ検出回路７２は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００７１】
ＡＦ検出回路７２で求めた積算値のデータはＣＰＵ２０に通知される。ＣＰＵ２０は、レンズ駆動部５６を制御してフォーカシングレンズを移動させながら、複数のＡＦ検出ポイントで焦点評価値（ＡＦ評価値）を演算し、評価値が極大となるレンズ位置を合焦位置として決定する。そして、求めた合焦位置にフォーカシングレンズを移動させるようにレンズ駆動部５６を制御する。尚、ＡＦ評価値の演算はＧ信号を利用する態様に限らず、輝度信号（Ｙ信号）を利用してもよい。
【００７２】
撮影ボタン３４が半押しされ、Ｓ１オンによってＡＥ／ＡＦ処理が行われ、撮影ボタン３４が全押しされ、Ｓ２オンによって記録用の撮影動作がスタートする。Ｓ２オンに応動して取得された画像データは画像信号処理回路６８において輝度／色差信号（Ｙ／Ｃ信号）に変換され、ガンマ補正等の所定の処理が施された後、メモリ２８に格納される。
【００７３】
メモリ２８に格納されたＹ／Ｃ信号は、圧縮伸張回路７６によって所定のフォーマットに従って圧縮された後、メディアコントローラ４４を介して記録メディア４２に記録される。例えば、静止画についてはJPEG（Joint Photographic Experts Group）形式で記録される。
【００７４】
モード選択スイッチ３２により再生モードが選択されると、記録メディア４２に記録されている最終の画像ファイル（最後に記録されたファイル）の圧縮データが読み出される。最後の記録に係るファイルが静止画ファイルの場合、この読み出された画像圧縮データは、圧縮伸張回路７６を介して非圧縮のＹＣ信号に伸張され、画像信号処理回路６８及びビデオエンコーダ７０を介して表示用の信号に変換された後、画像表示装置３８に出力される。これにより、当該ファイルの画像内容が画像表示装置３８の画面上に表示される。
【００７５】
静止画の一コマ再生中（動画の先頭フレーム再生中も含む）に、十字キーの右キー又は左キーを操作することによって、再生対象のファイルを切り換えること（順コマ送り／逆コマ送り）ができる。コマ送りされた位置の画像ファイルが記録メディア４２から読み出され、上記と同様にして静止画像や動画が画像表示装置３８に再生表示される。
【００７６】
また、このカメラ１は、生体認証機能を有している。
【００７７】
即ち、予め所定の手続きにしたがって正規の使用者の生体情報（この実施の形態では、指紋情報）を取得し、この取得した指紋情報をテンプレートとしてＥＥＰＲＯＭ２６に登録する。尚、指紋情報の取得は、カメラ１で使用者の指を撮影することによって行うことができる。
【００７８】
生体認証（指紋認証）時には、使用者の指紋情報を取得し、ＣＰＵ２０は、この取得した指紋情報が、ＥＥＰＲＯＭ２６に登録されたテンプレートと一致するか否かを照合する。一致する場合には正規の使用者として認証し、開閉カバー７の施錠・開錠の設定の変更実施を許可し、その設定に応じてロック機構駆動部８０を介して形状記憶合金１２Ａ、又は１２Ｂへの通電を制御する。
【００７９】
次に、電池収納部６の開閉カバー７を施錠・開錠するための処理動作について説明する。
【００８０】
［第１の実施の形態］
図８に示すように、予め指紋情報が登録されている指を撮影し（ステップＳ１０）、撮影した指画像に対して２値化処理等の指紋情報処理を行い、指紋情報を抽出する（ステップＳ１２）。
【００８１】
この抽出した指紋情報をメモリ２８に格納し（ステップＳ１４）、この指紋情報とＥＥＰＲＯＭ２６に登録されたテンプレートとを照合し（ステップＳ１６）、指紋情報が一致するか否かを判別する（ステップＳ１８）。
【００８２】
一致する場合には、開閉カバー７の施錠・開錠の設定の変更が許可される（ステップＳ２０）。その後、使用者により施錠・開錠の設定が行われ、その設定に応じて形状記憶合金１２Ａ、又は１２Ｂへの通電が制御され、開閉カバー７が施錠又は開錠される（ステップＳ２２）。
【００８３】
一方、一致しない場合には、開閉カバー７の施錠・開錠の設定の変更が不許可となり（ステップＳ２４）、施錠の通電（形状記憶合金１２Ｂへの通電）が行われる（ステップＳ２６）。
【００８４】
ここで、一致しない場合には、カメラ１の使用そのものを不可としてもよい。また、生体認証は、指紋に限らず、掌紋、網膜等の情報でもよく、更に音声を録音する機能を有する機器では、声紋の情報でもよい。尚、カメラ１は動画撮影等に音声を録音することができ、音声を録音する機能を有する機器の一つである。
【００８５】
このような構成を有するカメラ１は、生体認証された正規の使用者のみが、電池、記録メディア等の着脱が可能となり、無断取り外しを制限することができ、第三者による盗難防止、記録メディアの場合は更にデータ機密の保持が可能となる。
【００８６】
［第２の実施の形態］
図９は電池収納部６の開閉カバー７を施錠・開錠するための他の処理動作について説明する。尚、図９において、図８に示したフローチャートと共通する部分には同一のステップ番号を付し、その詳細な説明は省略する。
【００８７】
図９に示す第２の実施の形態は、図８に示したものと比較して、一点鎖線で囲んだ範囲の処理が追加されている点で相違する。
【００８８】
まず、カメラ１の電源をＯＮされると（ステップＳ３０）、電池残量の検出が行われる（ステップＳ３２）。この検出された電池残量が少ないか否かを判別し（ステップＳ３２）、残量少と判別されると、ステップＳ３６に遷移し、残量少でないと判別されると、ステップＳ１０に遷移し、図８のフローチャートで示した処理と同様な処理が実施される。
【００８９】
ステップＳ３６では、開閉カバー７を無条件で開錠させる。
【００９０】
これにより、電池の残量少の場合には、必ず開錠されるため、電池切れにより開閉カバー７を開錠することができなくなるという問題がない。尚、ステップＳ３４での電池の残量少の判断基準は、開閉カバー７を開錠位置に移動させるために必要な電圧値（通電により形状記憶合金１２を自己加熱させて収縮させることができる電圧値）のうちの最低限の電圧値とする。
【００９１】
次に、ロック機構の変形例について説明する。
【００９２】
［第１の変形例］
図１０は本発明に係るロック機構の第１の変形例を示す図である。
【００９３】
このロック機構１００は、主としてロック爪１０２と、１本のワイヤ状の形状記憶合金１２と、螺旋ばね１０４とから構成されている。尚、形状記憶合金１２としては、図２〜図６に示したものと同様なものが使用される。
【００９４】
ロック爪１０２は、開閉カバー７が閉じている状態のときに開閉カバー７のスリット穴７Ａに係合し、開閉カバー７をロック（施錠）するもので、電池収納部の前面に回動自在に配設されている。
【００９５】
螺旋ばね１０４は、ロック爪１０２が、図１０上で反時計回り方向に常時付勢されるように設けられている。
【００９６】
従って、形状記憶合金１２が通電されずに常温の状態（柔らかく伸びている状態）では、ロック爪１０２は、螺旋ばね１０４の付勢力によって反時計回り方向に回動させられ、開閉カバー７のスリット穴７Ａに係合して開閉カバー７を施錠する。
【００９７】
一方、開閉カバー７を開錠するときには、形状記憶合金１２に通電し、形状記憶合金１２を収縮させる。これにより、ロック爪１０２は、形状記憶合金１２の収縮力によって螺旋ばね１０４の付勢力に抗して時計回り方向に回動させられ、開閉カバー７のスリット穴７Ａから外れて開閉カバー７を開錠する。
【００９８】
［第２の変形例］
図１１は本発明に係るロック機構の第２の変形例を示す図である。
【００９９】
このロック機構１１０は、主としてロック爪１１２と、１本のワイヤ状の形状記憶合金１２と、トーションばね１１４とから構成されている。尚、形状記憶合金１２としては、図２〜図６に示したものと同様なものが使用される。
【０１００】
ロック爪１１２は、開閉カバー７が閉じている状態のときに開閉カバー７のスリット穴
７Ａに係合し、開閉カバー７をロック（施錠）するもので、電池収納部の前面に上下方向に移動自在に配設されている。
【０１０１】
トーションばね１１４は、ロック爪１１２が、図１１上で下方向に常時付勢されるように設けられている。
【０１０２】
従って、形状記憶合金１２が通電されずに常温の状態（柔らかく伸びている状態）では、ロック爪１１２は、トーションばね１１４の付勢力によって下方向に移動させられ、開閉カバー７のスリット穴７Ａに係合して開閉カバー７を施錠する。
【０１０３】
一方、開閉カバー７を開錠するときには、形状記憶合金１２に通電し、形状記憶合金１２を収縮させる。これにより、ロック爪１１２は、形状記憶合金１２の収縮力によってトーションばね１１４の付勢力に抗して上方向に移動させられ、開閉カバー７のスリット穴７Ａから外れて開閉カバー７を開錠する。
【０１０４】
尚、この実施の形態では、デジタルカメラの電池収納部の開閉カバーを施錠・開錠する場合について説明したが、これに限らず、本発明は、記録メディアの収納部、あるいは電池及び記録メディアの収納部の開閉カバーを施錠・開錠する場合にも適用できる。また、この種の開閉カバーを有する電子機器であれば、デジタルカメラに限らず、本発明は他の電子機器にも適用できる。
【図面の簡単な説明】
【０１０５】
【図１】図１は本発明に係る電子機器（デジタルカメラ）の外観図である。
【図２】図２は図１に示したデジタルカメラの要部を内部透視した図である。
【図３】図３は図２の要部拡大図である。
【図４】図４は図３に示したロック機構の要部拡大図である。
【図５】図５はワイヤ状の形状記憶合金を説明するために用いた図である。
【図６】図６（Ａ）はロック機構の正面図であり、図６（Ｂ）は図６（Ａ）のＩ−Ｉ線に沿う拡大断面図である。
【図７】図７はカメラ１の内部構成を示すブロック図である。
【図８】図８は電池収納部の開閉カバーを施錠・開錠するための第１の実施の形態の処理動作を説明するために用いたフローチャートフローチャートである。
【図９】図９は電池収納部の開閉カバーを施錠・開錠するための第２の実施の形態の処理動作を説明するために用いたフローチャートである。
【図１０】図１０は本発明に係るロック機構の第１の変形例を示す図である。
【図１１】図１１は本発明に係るロック機構の第２の変形例を示す図である。
【符号の説明】
【０１０６】
１…デジタルカメラ（カメラ）、２…カメラ筐体、３…レンズ、４…グリップ部、５…電池、６…電池収納部、７…開閉カバー、８、１００、１１０…ロック機構、１０、１０２、１１２…ロック爪、１２、１２Ａ、１２Ｂ…形状記憶合金、１４…板ばね、２０…ＣＰＵ、４２…記録メディア、４８…ＣＣＤ、５０…レンズユニット、８０…ロック機構駆動部、１０４…螺旋ばね、１１４…トーションばね
【図１】
2008245143.tif 000003
【図２】
2008245143.tif 000004
【図３】
2008245143.tif 000005
【図４】
2008245143.tif 000006
【図５】
2008245143.tif 000007
【図６】
2008245143.tif 000008
【図７】
2008245143.tif 000009
【図８】
2008245143.tif 000010
【図９】
2008245143.tif 000011
【図１０】
2008245143.tif 000012
【図１１】
2008245143.tif 000013